(57)【特許請求の範囲】
【請求項１】
複数枚のインスタントフイルムと、
複数枚の前記インスタントフイルムを積層した状態で収容するケースであって、前記インスタントフイルムの露光面を露呈させるための露光開口部と、前記インスタントフイルムを排出するための排出口と、前記インスタントフイルムの排出方向に沿って移動するクローを挿入するための第１クロー開口部と、前記クローを挿入するための第２クロー開口部と、を備えたケースと、
積層された前記インスタントフイルムの最上位に重ねて配置されて前記ケースに収容されることにより、前記露光開口部を遮光するフイルムカバーであって、前記第１クロー開口部と同じ幅を有し、かつ、前記第１クロー開口部に連なる切欠き部を備えたフイルムカバーと、
を備え、前記クローが前記第１クロー開口部に挿入された場合は、前記インスタントフイルムだけが積層方向の上側から順に前記クローで押されて前記排出口から排出され、前記クローが前記第２クロー開口部に挿入された場合は、前記フイルムカバー及び前記インスタントフイルムが積層方向の上側から順に前記クローで押されて前記排出口から排出される、
インスタントフイルムパック。
【請求項２】
前記第１クロー開口部及び前記切欠き部を遮光する第１遮光部材を更に備えた、
請求項１に記載のインスタントフイルムパック。
【請求項３】
前記第１遮光部材が、金属箔で構成される、
請求項２に記載のインスタントフイルムパック。
【請求項４】
前記第１遮光部材が、可撓性を有するシート材で構成される、
請求項２に記載のインスタントフイルムパック。
【請求項５】
前記第１遮光部材が、スライド移動自在に設けられる、
請求項２に記載のインスタントフイルムパック。
【請求項６】
前記第２クロー開口部を遮光する第２遮光部材を更に備えた、
請求項１から５のいずれか１項に記載のインスタントフイルムパック。
【請求項７】
前記第２遮光部材が、金属箔で構成される、
請求項６に記載のインスタントフイルムパック。
【請求項８】
前記第２遮光部材が、可撓性を有するシート材で構成される、
請求項６に記載のインスタントフイルムパック。
【請求項９】
前記第２遮光部材が、スライド移動自在に設けられる、
請求項６に記載のインスタントフイルムパック。
【請求項１０】
前記フイルムカバーは、前記ケース内に配置され、前記排出口から排出される、
請求項１から９のいずれか１項に記載のインスタントフイルムパック。
【請求項１１】
請求項１から１０のいずれか１項に記載のインスタントフイルムパックが装填される装填室と、
前記インスタントフイルムの排出方向に沿って移動するクローによって前記装填室に装填された前記インスタントフイルムパックから前記インスタントフイルムを排出する排出部であって、前記第１クロー開口部から前記ケースに前記クローを挿入して、前記インスタントフイルムを排出する排出部と、
前記排出部によって排出された前記インスタントフイルムを搬送する搬送部と、
画像データを取得する画像データ取得部と、
前記搬送部によって搬送される前記インスタントフイルムに前記画像データが表わす画像を記録する露光ヘッドと、
を備えた画像記録装置。
【請求項１２】
イメージセンサーによって画像を撮像するデジタルカメラ部を更に備え、
前記画像データ取得部は、前記デジタルカメラ部にて生成される画像データを取得する、
請求項１１に記載の画像記録装置。
【請求項１３】
請求項１から１０のいずれか１項に記載のインスタントフイルムパックが装填される装填室と、
前記インスタントフイルムの排出方向に沿って移動するクローによって前記装填室に装填された前記インスタントフイルムパックから前記インスタントフイルム及び前記フイルムカバーを排出する排出部であって、前記フイルムカバーが装着された前記インスタントフイルムパックに対して前記第２クロー開口部から前記ケースに前記クローを挿入して前記フイルムカバーを排出し、前記フイルムカバーが排出された前記インスタントフイルムパックに対して前記第１クロー開口部又は前記第２クロー開口部から前記ケースに前記クローを挿入して前記インスタントフイルムを排出する排出部と、
前記装填室に装填された前記インスタントフイルムパックの前記インスタントフイルムに被写体像を結像させる撮影レンズと、
前記排出部によって排出された前記インスタントフイルム及び前記フイルムカバーを搬送する搬送部と、
を備えた画像記録装置。
【発明の詳細な説明】
【技術分野】
【０００１】
本発明は、インスタントフイルムパック、及び、そのインスタントフイルムパックを使用する画像記録装置に関する。
【背景技術】
【０００２】
インスタントフイルムパックは、インスタントフイルムと、そのインスタントフイルムを収容するケースと、を備えて構成される。このインスタントフイルムパックには、露光開口部を備えているもの（たとえば、特許文献１等）と、露光開口部を備えていないもの（たとえば、特許文献２等）と、が存在する。露光開口部とは、ケースに収容されたインスタントフイルムの露光領域を露呈させるためにケースに備えられる開口部のことである。【０００３】
露光開口部を備えたインスタントフイルムパックは、主としてアナログ方式のインスタントカメラで使用される。アナログ方式のインスタントカメラとは、レンズによって被写体の像をインスタントフイルムの露光面上に結ばせて、被写体の像をインスタントフイルムに記録する方式のカメラのことである。アナログ方式のインスタントカメラでは、インスタントフイルムをケースに収容したまま使用する。このため、アナログ方式のインスタントカメラで使用するインスタントフイルムパックには、露光開口部が必要になる。【０００４】
一方、露光開口部を備えていないインスタントフイルムパックは、主としてプリンターで使用される。プリンターでは、インスタントフイルムをケースから取り出して使用する。このため、プリンターで使用するインスタントフイルムパックに露光開口部は必要とされない。
【先行技術文献】
【特許文献】
【０００５】
【特許文献１】特開平７−２０９８１４号公報
【特許文献２】特開２００５−７７８５２号公報
【発明の概要】
【発明が解決しようとする課題】
【０００６】
上記のように、アナログ方式のインスタントカメラで使用するインスタントフイルムパックには、露光開口部が必要になる。このため、露光開口部を備えていないインスタントフイルムパックは、アナログ方式のインスタントカメラでは使用できない。【０００７】
一方、プリンターでは露光開口部の有無は問題とはならない。したがって露光開口部が備えられたインスタントフイルムパックであっても、プリンターに装着できれば、使用は可能になる。【０００８】
しかし、露光開口部を備えたインスタントフイルムパックをプリンターで使用すると、次のような問題が生じる。【０００９】
露光開口部を備えたインスタントフイルムパックには、インスタントフイルムの感光を防止するため、フイルムカバーが備えられる。フイルムカバーは、カード形状を有し、インスタントフイルムに重ねて配置される。このフイルムカバーは、インスタントフイルムパックを機器に装填した後、除去される。除去には、機器に備えられているインスタントフイルムの排出機構及び搬送機構が利用される。【００１０】
しかしながら、プリンターに備えられるインスタントフイルムの搬送機構は、インスタントフイルムの搬送を前提に設計されているため、剛性等の異なるフイルムカバーを搬送すると、適切に搬送できないという問題がある。すなわち、フイルムカバーは、インスタントフイルムよりも高い剛性を有しているため、インスタントフイルム用の搬送機構により搬送すると、スリップなどが生じて、ジャム等の原因になるという問題がある。【００１１】
また、プリンターは、インスタントフイルムを搬送しながら画像を記録するため、搬送には一定の精度が必要とされる。一定の精度を確保しつつインスタントフイルムとフイルムカバーの双方を搬送できるようにすることは難しく、構造が複雑かつ大型化するという欠点がある。【００１２】
本発明は、このような事情に鑑みてなされたもので、フイルムカバーを取り外して使用する形態、及び、フイルムカバーを取り外さずに使用する形態の双方が可能なインスタントフイルムパック、及び、そのインスタントフイルムを使用する画像記録装置を提供することを目的とする。
【課題を解決するための手段】
【００１３】
（１）インスタントフイルムと、インスタントフイルムを収容するケースであって、インスタントフイルムの露光面を露呈させるための露光開口部と、インスタントフイルムを排出するための排出口と、クローを挿入するための第１クロー開口部と、クローを挿入するための第２クロー開口部と、を備えたケースと、ケースに装着されて露光開口部を遮光するフイルムカバーであって、第１クロー開口部に連なる切欠き部を備えたフイルムカバーと、を備えたインスタントフイルムパック。【００１４】
本態様によれば、ケースに２つのクロー開口部（第１クロー開口部及び第２クロー開口部）が備えられる。また、フイルムカバーに切欠き部が備えられる。切欠き部は、第１クロー開口部に連なる構造を有する。ここで、第１クロー開口部に連なる構造とは、フイルムカバーを装着した状態において、切欠き部と第１クロー開口部とが互いに繋がり合う構造をいう。【００１５】
本態様のインスタントフイルムパックによれば、第１クロー開口部と第２クロー開口部とを使い分けることにより、フイルムカバーを取り外して使用する形態、及び、フイルムカバーを取り外さずに使用する形態の双方が可能になる。たとえば、フイルムカバーを取り外さずに使用する場合は、第１クロー開口部を使用する。第１クロー開口部を使用することにより、クローとフイルムカバーとの接触を回避でき、インスタントフイルムのみをケースから排出できる。一方、フイルムカバーを取り外して使用する場合は、第２クロー開口部を使用する。第２クロー開口部を使用することにより、従来のインスタントフイルムパックと同様にして、ケースからフイルムカバーを排出できる。【００１６】
（２）第１クロー開口部及び切欠き部を遮光する第１遮光部材を更に備えた、上記（１）のインスタントフイルムパック。【００１７】
本態様によれば、第１クロー開口部及び切欠き部を遮光するための第１遮光部材が備えられる。これにより、第１クロー開口部及び切欠き部を介してインスタントフイルムが感光するのを防止できる。【００１８】
（３）第１遮光部材は切断可能に構成され、クローを第１クロー開口部及び切欠き部に挿入することにより、クローによって切断される、上記（２）のインスタントフイルムパック。【００１９】
本態様によれば、第１遮光部材が切断可能に構成される。第１遮光部材は、クローを第１クロー開口部及び切欠き部に挿入すると、クローによって切断される。切断可能な構成とは、クローを第１クロー開口部及び切欠き部に挿入する動作によって切断できる構成を意味する。このような構成の遮光部材として、アルミ箔等の金属箔を例示できる。【００２０】
（４）第１遮光部材は変形可能に構成され、クローを第１クロー開口部及び切欠き部に挿入することにより、クローに押されて変形する、上記（２）のインスタントフイルムパック。【００２１】
本態様によれば、第１遮光部材が変形可能に構成される。第１遮光部材は、クローを第１クロー開口部及び切欠き部に挿入することにより、クローに押されて変形する。変形可能な構成とは、クローを第１クロー開口部及び切欠き部に挿入する動作によって変形できる構成を意味する。このような構成の遮光部材として、可撓性を有する樹脂フイルムを例示できる。【００２２】
（５）第１遮光部材は移動可能に設けられ、クローを第１クロー開口部及び切欠き部に挿入することにより、クローに押されて移動する、上記（２）のインスタントフイルムパック。【００２３】
本態様によれば、第１遮光部材が移動可能に設けられる。第１遮光部材は、クローを第１クロー開口部及び切欠き部に挿入することにより、クローに押されて移動する。【００２４】
（６）第２クロー開口部を遮光する第２遮光部材を更に備えた、上記（１）から（５）のいずれか１のインスタントフイルムパック。【００２５】
本態様によれば、第２クロー開口部を遮光するための第２遮光部材が備えられる。これにより、第２クロー開口部を介してインスタントフイルムが感光するのを防止できる。【００２６】
（７）第２遮光部材は切断可能に構成され、クローを第２クロー開口部に挿入することにより、クローによって切断される、上記（６）のインスタントフイルムパック。【００２７】
本態様によれば、第２遮光部材が切断可能に構成される。第２遮光部材は、クローを第２クロー開口部に挿入すると、クローによって切断される。切断可能な構成とは、クローを第２クロー開口部に挿入する動作によって切断できる構成を意味する。このような構成の遮光部材として、アルミ箔等の金属箔を例示できる。【００２８】
（８）第２遮光部材は変形可能に構成され、クローを第２クロー開口部に挿入することにより、クローに押されて変形する、上記（６）のインスタントフイルムパック。【００２９】
本態様によれば、第２遮光部材が変形可能に構成される。第２遮光部材は、クローを第２クロー開口部に挿入することにより、クローに押されて変形する。変形可能な構成とは、クローを第２クロー開口部に挿入する動作によって変形できる構成を意味する。このような構成の遮光部材として、可撓性を有する樹脂フイルムを例示できる。【００３０】
（９）第２遮光部材は移動可能に設けられ、クローを第２クロー開口部に挿入することにより、クローに押されて移動する、上記（６）のインスタントフイルムパック。【００３１】
本態様によれば、第２遮光部材が移動可能に設けられる。第２遮光部材は、クローを第２クロー開口部に挿入することにより、クローに押されて移動する。【００３２】
（１０）フイルムカバーは、ケース内に配置され、排出口から排出される、上記（１）から（９）のいずれか１のインスタントフイルムパック。【００３３】
本態様によれば、フイルムカバーがケース内に配置される。排出時は、インスタントフイルムと同様に排出口から排出される。【００３４】
（１１）フイルムカバーは、インスタントフイルムに重ねて配置される、上記（１０）のインスタントフイルムパック。【００３５】
本態様によれば、フイルムカバーが、ケース内において、インスタントフイルムに重ねて配置される。【００３６】
（１２）上記（１）から（１１）のいずれか１のインスタントフイルムパックが装填される装填室と、クローによって装填室に装填されたインスタントフイルムパックからインスタントフイルムを排出する排出部であって、第１クロー開口部からケースにクローを挿入して、インスタントフイルムを排出する排出部と、排出部によって排出されたインスタントフイルムを搬送する搬送部と、画像データを取得する画像データ取得部と、搬送部によって搬送されるインスタントフイルムに画像データが表わす画像を記録する露光ヘッドと、を備えた画像記録装置。【００３７】
本態様によれば、画像記録装置はプリンターとして構成される。画像記録装置には、インスタントフイルムパックが装填される装填室と、装填室に装填されたインスタントフイルムパックからインスタントフイルムを排出する排出部と、排出部によって排出されたインスタントフイルムを搬送する搬送部と、搬送部によって搬送されるインスタントフイルムに画像を記録する露光ヘッドと、が備えられる。画像記録装置は、装填室に装填されたインスタントフイルムパックから排出部によってインスタントフイルムを排出し、搬送部により搬送する過程で露光ヘッドによってインスタントフイルムに画像を記録する。インスタントフイルムに記録する画像は、画像データ取得部にて取得される。排出部は、クローによってインスタントフイルムパックからインスタントフイルムを排出する。この際、排出部は、第１クロー開口部を利用して、インスタントフイルムを排出する。これにより、フイルムカバーを装着したままインスタントフイルムのみを排出できる。フイルムカバーを取り外さずに使用できることにより、搬送部において、フイルムカバーとインスタントフイルムの双方を搬送する必要がなくなり、構成を簡素化できる。【００３８】
（１３）イメージセンサーによって画像を撮像するデジタルカメラ部を更に備え、画像データ取得部は、デジタルカメラ部にて生成される画像データを取得する、上記（１２）の画像記録装置。【００３９】
本態様によれば、デジタルカメラ部が更に備えられる。デジタルカメラ部を備えることにより、デジタルカメラ部にて撮影した画像をインスタントフイルムに記録できる。いわゆるプリンター付きのデジタルカメラとして利用できる。【００４０】
（１４）上記（１）から（１１）のいずれか１のインスタントフイルムパックが装填される装填室と、クローによって装填室に装填されたインスタントフイルムパックからインスタントフイルム及びフイルムカバーを排出する排出部であって、フイルムカバーが装着されたインスタントフイルムパックに対して第２クロー開口部からケースにクローを挿入してフイルムカバーを排出し、フイルムカバーが排出されたインスタントフイルムパックに対して第１クロー開口部又は第２クロー開口部からケースにクローを挿入してインスタントフイルムを排出する排出部と、装填室に装填されたインスタントフイルムパックのインスタントフイルムに被写体像を結像させる撮影レンズと、排出部によって排出されたインスタントフイルム及びフイルムカバーを搬送する搬送部と、を備えた画像記録装置。【００４１】
本態様によれば、画像記録装置はアナログ方式のインスタントカメラとして構成される。画像記録装置には、インスタントフイルムパックが装填される装填室と、装填室に装填されたインスタントフイルムパックのインスタントフイルムに被写体像を結像させるレンズと、が備えられる。被写体像をインスタントフイルムに結像させるためには、フイルムカバーを取り外す必要がある。画像記録装置は、第２クロー開口部を利用してフイルムカバーを排出する。すなわち、第２クロー開口部にクローを挿入して、フイルムカバーを排出する。これにより、フイルムカバーを取り外してインスタントフイルムパックを使用できる。なお、フイルムカバーを取り外した後のインスタントフイルムの排出は、いずれのクロー開口部を使用してもよい。ただし、第１クロー開口部を使用する場合は、クローの位置を変えるか、又は、他のクローを更に用意する必要があるので、第２クロー開口部を使用することが好ましい。【００４２】
排出するインスタントフイルムは撮影済みのものであるため、その搬送に高い精度は要求されない。したがって、インスタントフイルムとフイルムカバーとで搬送部を共用する場合であっても、搬送部は簡素な構成のもので済む。
【発明の効果】
【００４３】
本発明によれば、フイルムカバーを取り外して使用する形態、及び、フイルムカバーを取り外さずに使用する形態の双方が可能なインスタントフイルムパックを提供できる。
【図面の簡単な説明】
【００４４】
【図１】インスタントフイルムパックの正面図
【図２】インスタントフイルムパックの背面図
【図３】インスタントフイルムパックの平面図
【図４】インスタントフイルムパックの底面図
【図５】図１の５−５断面図
【図６】インスタントフイルムパックの分解斜視図
【図７】インスタントフイルムパックの正面の一部を拡大した正面拡大図
【図８】図７の８−８断面を拡大した断面拡大図
【図９】図７の９−９断面を拡大した断面拡大図
【図１０】インスタントフイルムを露光面側から見た平面図
【図１１】インスタントフイルムを観察面側から見た平面図
【図１２】ケース本体の正面図
【図１３】ケース本体の平面図
【図１４】ケース本体の底面図
【図１５】ケース蓋の正面図
【図１６】第１遮光シートの正面図
【図１７】第２遮光シートの正面図
【図１８】装填室に装填されたインスタントフイルムパックの断面図
【図１９】フイルムカバーの正面図
【図２０】フイルムカバーの背面図
【図２１】排出機構の基本構成を示す概略図
【図２２】フイルムカバーを取り外さずに使用する場合のインスタントフイルムパックとクローとの配置関係を示す図
【図２３】フイルムカバーを取り外さずに使用する場合のクローの動作説明図
【図２４】フイルムカバーを取り外さずに使用する場合のインスタントフイルムパックとクローとの配置関係を示す図
【図２５】フイルムカバーを取り外さずに使用する場合のクローの動作説明図
【図２６】ケースの外側から露光開口部を遮光する構造のインスタントフイルムパックの正面図
【図２７】ケースの外側から露光開口部を遮光する構造のインスタントフイルムパックの平面図
【図２８】プリンターの概略構成図
【図２９】プリンターの制御系のブロック図
【図３０】デジタルカメラの概略構成図
【図３１】デジタルカメラの制御系のブロック図
【図３２】アナログ方式のインスタントカメラの概略構成図
【図３３】アナログ方式のインスタントカメラの制御系のブロック図
【図３４】フイルムカバーを取り外して使用するプリンターの概略構成図
【図３５】プリンターの制御系のブロック図
【発明を実施するための形態】
【００４５】
以下、添付図面に従って本発明の好ましい実施の形態について詳説する。
【００４６】
［インスタントフイルムパック］
〔第１の実施の形態〕
《インスタントフイルムパックの構造》
図１は、インスタントフイルムパックの正面図である。図２は、インスタントフイルムパックの背面図である。図３は、インスタントフイルムパックの平面図である。図４は、インスタントフイルムパックの底面図である。図５は、図１の５−５断面図である。図６は、インスタントフイルムパックの分解斜視図である。図７は、インスタントフイルムパックの正面の一部を拡大した正面拡大図である。図８は、図７の８−８断面を拡大した断面拡大図である。図９は、図７の９−９断面を拡大した断面拡大図である。
【００４７】
インスタントフイルムパック１は、インスタントフイルム１０と、インスタントフイルム１０を収容するケース２０と、遮光シート５０と、フイルムカバー６０と、を備えて構成される。
【００４８】
〈インスタントフイルム〉
インスタントフイルム１０は、公知の自己現像型のインスタントフイルムであり、矩形のカード形状を有する。インスタントフイルム１０は、一方側の面が露光面１０ａ、他方側の面が観察面１０ｂとして構成される。
【００４９】
図１０は、インスタントフイルムを露光面側から見た平面図である。同図において、矢印Ｆを用いて示す方向が、インスタントフイルム１０の送り方向である。送り方向Ｆとは、インスタントフイルム１０の使用方向と同義である。インスタントフイルム１０をケース２０に収容した場合には、インスタントフイルム１０の送り方向がインスタントフイルム１０の排出方向となる。
【００５０】
露光面１０ａには、露光部１２、ポッド部１４、及び、トラップ部１６が備えられる。露光部１２は、露光領域であり、矩形状の領域として、ポッド部１４とトラップ部１６との間に配置される。ポッド部１４は、インスタントフイルム１０の送り方向Ｆの先端側に配置される。ポッド部１４には、現像処理液を内包した現像処理液ポッド１４ａが内蔵される。トラップ部１６は、インスタントフイルム１０の送り方向Ｆの後端側に配置される。トラップ部１６には、吸収材１６ａが内蔵される。
【００５１】
図１１は、インスタントフイルムを観察面側から見た平面図である。同図において、矢印Ｆを用いて示す方向が、インスタントフイルム１０の送り方向である。
【００５２】
観察面１０ｂには、撮影した画像の観察領域となる観察部１８が備えられる。観察部１８は、露光面側の露光部１２に対応して配置される。
【００５３】
インスタントフイルム１０は、露光後、ポッド部１４の現像処理液を露光部１２に展開させることにより現像処理される。インスタントフイルム１０は、一対の展開ローラーの間を通されることにより、ポッド部１４の現像処理液が絞り出され、露光部１２に展開される。この際、余剰の現像処理時がトラップ部１６で捕捉される。
【００５４】
〈ケース〉
ケース２０は、平たい矩形の箱形状を有し、複数枚のインスタントフイルム１０を積層した状態で収容する。図６に示すように、ケース２０は、ケース本体２２と、そのケース本体２２の背面を塞ぐケース蓋２４とで構成される。
【００５５】
〔ケース本体〕
図１２は、ケース本体の正面図である。図１３は、ケース本体の平面図である。図１４は、ケース本体の底面図である。図１２において、矢印ｆを用いて示す方向が、インスタントフイルム１０の排出方向である。
【００５６】
ケース本体２２は、背面部が開放された平たい矩形の箱形状を有する。ケース本体２２には、インスタントフイルム１０の露光領域を露呈させるための露光開口部２６、インスタントフイルム１０を排出するための排出口２８、排出口２８を遮光するためのケースフラップ材３０、クローを挿入するための第１クロー開口部３２、及び、第２クロー開口部３３が備えられる。
【００５７】
露光開口部２６は、図１２に示すように、ケース本体２２の正面部分２２ａに備えられる。露光開口部２６は、インスタントフイルム１０の露光部１２の形状に対応した形状を有する。露光開口部２６は、ケース２０に収容されたインスタントフイルム１０の露光部１２が露呈する位置に配置される。
【００５８】
排出口２８は、図１３に示すように、ケース本体２２の天面部２２ｂに備えられる。排出口２８は、インスタントフイルム１０が通過できるサイズのスリット形状を有する。排出口２８は、積層方向の最上位に位置するインスタントフイルム１０を排出できる位置に配置される。
【００５９】
ケースフラップ材３０は、図３及び図６に示すように、矩形状のフイルム片により構成される。図３において、斜格子で示す領域がケースフラップ材３０の接着領域である。ケースフラップ材３０は、片側の長辺に沿ってケース本体２２に接着されることにより、排出口２８を開閉可能に遮蔽する。
【００６０】
第１クロー開口部３２及び第２クロー開口部３３は、図１２及び図１４に示すように、インスタントフイルム１０の排出方向ｆに対して左右対称に配置される。第１クロー開口部３２は、インスタントフイルム１０の排出方向ｆに対して左側に配置され、第２クロー開口部３３は、インスタントフイルム１０の排出方向ｆに対して右側に配置される。
【００６１】
第１クロー開口部３２は、図１２及び図１４に示すように、ケース本体２２の正面部分２２ａ及び底面部２２ｃに備えられる。第１クロー開口部３２は、スリット形状を有し、ケース本体２２の底面部２２ｃを基点として、ケース本体２２の正面部分２２ａに直線状に配置される。ケース本体２２の底面部２２ｃには、図１４に示すように、第１クロー開口部３２の一部を構成する切欠き状の入口部３２ａが備えられる。ケース本体２２の正面部分２２ａには、第１クロー開口部３２の一部を構成するスリット状の通路部３２ｂが備えられる。通路部３２ｂは、インスタントフイルム１０の排出方向ｆに沿って直線状に配置される。通路部３２ｂの終点は、露光開口部２６とされる。すなわち、第１クロー開口部３２は、ケース本体２２の底面部２２ｃと露光開口部２６とを直線状に繋ぐ形で配置される。第１クロー開口部３２の幅は、クローを挿入できる幅とされる。
【００６２】
第２クロー開口部３３は、図１２及び図１４に示すように、ケース本体２２の正面部分２２ａ及び底面部２２ｃに備えられる。第２クロー開口部３３は、スリット形状を有し、ケース本体２２の底面部２２ｃを基点として、ケース本体２２の正面部分２２ａに直線状に配置される。ケース本体２２の底面部２２ｃには、図１４に示すように、第２クロー開口部３３の一部を構成する切欠き状の入口部３３ａが備えられる。ケース本体２２の正面部分２２ａには、第２クロー開口部３３の一部を構成するスリット状の通路部３３ｂが備えられる。通路部３３ｂは、インスタントフイルム１０の排出方向ｆに沿って直線状に配置される。通路部３３ｂの終点は、露光開口部２６とされる。すなわち、第２クロー開口部３３は、ケース本体２２の底面部２２ｃと露光開口部２６とを直線状に繋ぐ形で配置される。第２クロー開口部３３の幅は、第１クロー開口部３２と同じ幅であり、クローを挿入できる幅とされる。
【００６３】
〔ケース蓋〕
図１５は、ケース蓋の正面図である。同図において、矢印ｆを用いて示す方向が、インスタントフイルム１０の排出方向である。
【００６４】
ケース蓋２４は、矩形の板形状を有する。ケース蓋２４は、ケース本体２２の背面部に装着されて、開放されたケース本体２２の背面を塞ぐ。ケース蓋２４には、一対の押し上げ部材挿入部３６、一対のフイルム支持部３８、及び、一対の遮光シート取付部４０が備えられる。
【００６５】
押し上げ部材挿入部３６は、押し上げ部材を挿入するための開口部である。押し上げ部材は、インスタントフイルムパック１を使用する機器に備えられる部材である。インスタントフイルムパック１を使用する機器には、インスタントフイルムパック１の装填室に一対のフイルム上げ部材が備えられる（図２０参照）。インスタントフイルムパック１を装填室に装填すると、押し上げ部材挿入部３６に押し上げ部材が挿入される。
【００６６】
フイルム支持部３８は、ケース２０に収容されたインスタントフイルムパック１を支持する支持部である。フイルム支持部３８は、円弧状の薄板により構成され（図６参照）、ケース蓋２４の両側の長辺に沿ってケース蓋２４の内側に配置される。ケース２０に収容されたインスタントフイルム１０は、このフイルム支持部３８によって凸状に支持される。
【００６７】
遮光シート取付部４０は、遮光シート５０の取付部である。遮光シート取付部４０は、円柱状のピンにより構成され、ケース蓋２４の中央部分に並列して配置される。
【００６８】
〈遮光シート〉
遮光シート５０は、ケース内でインスタントフイルム１０を支持し、かつ、遮光する。遮光シート５０は、図６に示すように、板バネとしての機能を有する第１遮光シート５２と、支持板としての機能を有する第２遮光シート５４とを組み合わせて構成される。
【００６９】
図１６は、第１遮光シートの正面図である。同図において、矢印ｆを用いて示す方向が、インスタントフイルム１０の排出方向である。
【００７０】
第１遮光シート５２は、両サイドに切り込み部５２ａを備えたカード形状を有する。第１遮光シート５２は、板バネとして機能するため、弾性変形可能に構成される。両サイドの切り込み部５２ａは、第１遮光シート５２が長手方向に沿って撓みやすくするために備えられる。第１遮光シート５２は、中央部に一対の固定部５２ｂが備えられる。固定部５２ｂは円形状の穴により構成される。
【００７１】
図１７は、第２遮光シートの正面図である。同図において、矢印ｆを用いて示す方向が、インスタントフイルム１０の排出方向である。
【００７２】
第２遮光シート５４は、矩形のカード形状を有する。第２遮光シート５４は、支持板として機能するため、第１遮光シート５２に対して剛性を有する。インスタントフイルム１０は、この第２遮光シート５４の上に積層されて支持される。
【００７３】
第１遮光シート５２及び第２遮光シート５４は、長手方向の一端が互いに接着されて一体化される。図１６において、斜格子で示す領域が接着領域である。第１遮光シート５２及び第２遮光シート５４は、長手方向の一端を辺に沿って接着されて一体化される。
【００７４】
第１遮光シート５２及び第２遮光シート５４を一体化した遮光シート５０は、第１遮光シート５２の固定部５２ｂをケース蓋２４の遮光シート取付部４０に差し込み、更に差し込んだ部位を接着することにより、ケース蓋２４に取り付けられる。ケース蓋２４に取り付けられた遮光シート５０は、一対のフイルム支持部３８の間に配置される。
【００７５】
図１８は、装填室に装填されたインスタントフイルムパックの断面図である。
【００７６】
上記のように、インスタントフイルムパック１は装填室に装填されると、押し上げ部材挿入部３６に押し上げ部材２２４が挿入される。遮光シート５０は、この押し上げ部材挿入部３６に挿入された押し上げ部材に押されて、インスタントフイルム１０をケース２０の内面に押し当てる。この際、第１遮光シート５２が弾性変形して、インスタントフイルム１０を弾性的に押圧し、ケース２０の内面に押し当てる。
【００７７】
〈フイルムカバー〉
フイルムカバー６０は、露光開口部２６からの光を遮光する。
【００７８】
図１９は、フイルムカバーの正面図である。図２０は、フイルムカバーの背面図である。図１９及び図２０において、矢印Ｆを用いて示す方向がフイルムカバー６０の送り方向である。この方向は、フイルムカバー６０をケースから排出する方向である。
【００７９】
フイルムカバー６０は、インスタントフイルム１０とほぼ同じサイズの矩形のカード形状を有する。フイルムカバー６０は、図６に示すように、積層されたインスタントフイルム１０の最上位に重ねて配置されて、ケース２０に収容される。
【００８０】
フイルムカバー６０には、切欠き部６２、第１フイルムカバースカート材６４、及び、第２フイルムカバースカート材６５が備えられる。
【００８１】
切欠き部６２は、スリット形状を有し、フイルムカバー６０の後端部に備えられる。切欠き部６２は、フイルムカバー６０の送り方向に沿って配置される。切欠き部６２を配置する位置は、第１クロー開口部３２と同じ位置に設定される。これにより、フイルムカバー６０をケース２０に収容すると、第１クロー開口部３２に連なるように切欠き部６２が配置される。切欠き部６２は、第１クロー開口部３２と同じ幅を有する。なお、同じ幅には、ほぼ同じ幅が含まれる。
【００８２】
第１フイルムカバースカート材６４は、第１遮光部材の一例であり、フイルムカバー６０に取り付けられて、第１クロー開口部３２及び切欠き部６２からの光を遮光する。第１フイルムカバースカート材６４は、矩形状のシート片により構成される。第１フイルムカバースカート材６４は、フイルムカバー６０の背面部に取り付けられて、切欠き部６２を遮蔽する。この際、一部がフイルムカバー６０から食み出して取り付けられる。食み出した部分は、第１クロー開口部３２の入口部３２ａを遮蔽するためのスカート部６４ａとして機能する。フイルムカバー６０をケース２０に収容すると、スカート部６４ａで第１クロー開口部３２の入口部３２ａが遮蔽され、入口部３２ａからの光が遮光される。また、第１クロー開口部３２の通路部３２ｂは、フイルムカバー６０の切欠き部６２ともに第１フイルムカバースカート材６４に塞がれて遮光される。
【００８３】
第１フイルムカバースカート材６４は、クローによって切断可能な素材により構成される。すなわち、クローを挿入する動作によって切断できる素材により構成される。この種の素材として、遮光性を有するアルミ箔等の金属箔を例示できる。
【００８４】
第１フイルムカバースカート材６４は、接着によりフイルムカバー６０に取り付けられる。また、ケース２０に装着されたフイルムカバー６０は、第１フイルムカバースカート材６４のスカート部６４ａがケース２０の内面に接着されて固定される。
【００８５】
第２フイルムカバースカート材６５は、第２遮光部材の一例であり、フイルムカバー６０に取り付けられて、第２クロー開口部３３からの光を遮光する。第２フイルムカバースカート材６５は、矩形状のシート片により構成される。第２フイルムカバースカート材６５は、フイルムカバー６０の背面部に取り付けられる。この際、一部がフイルムカバー６０から食み出して取り付けられる。食み出した部分は、第２クロー開口部３３の入口部３３ａを遮蔽するためのスカート部６５ａとして機能する。フイルムカバー６０をケース２０に収容すると、スカート部６５ａで第２クロー開口部３３の入口部３３ａが遮蔽され、入口部３３ａからの光が遮光される。なお、第２クロー開口部３３の通路部３３ｂは、フイルムカバー６０に塞がれて遮光される。
【００８６】
第２フイルムカバースカート材６５は、クローによって切断可能な素材により構成される。すなわち、クローを挿入する動作によって切断できる素材により構成される。この種の素材として、遮光性を有するアルミ箔等の金属箔を例示できる。
【００８７】
第２フイルムカバースカート材６５は、接着によりフイルムカバー６０に取り付けられる。また、ケース２０に装着されたフイルムカバー６０は、第２フイルムカバースカート材６５のスカート部６５ａがケース２０の内面に接着されて固定される。
【００８８】
《インスタントフイルムパックの組み立て》
インスタントフイルムパック１は、フイルムカバー６０及びインスタントフイルム１０をケース本体２２に収容し、ケース蓋２４でケース本体２２の背面を閉じることにより組み立てられる。
【００８９】
この際、まず、フイルムカバー６０をケース本体２２に収容する。そして、その第１フイルムカバースカート材６４のスカート部６４ａ及び第２フイルムカバースカート材６５のスカート部６５ａをケース２０の内面に接着する。これにより、露光開口部２６、第１クロー開口部３２及び第２クロー開口部３３がフイルムカバー６０によって遮蔽される。
【００９０】
この後、インスタントフイルム１０を積層した状態でケース本体２２に収容する。インスタントフイルム１０は、露光面１０ａを上にして積層する。そして、露光面１０ａを露光開口部側に向けてケース本体２２に収容する。
【００９１】
これにより、最上位に位置するインスタントフイルム１０の露光面１０ａの上にフイルムカバー６０が載置された状態でフイルムカバー６０及びインスタントフイルム１０がケース本体２２に収容される。この後、ケース本体２２の背面をケース蓋２４で閉じる。
【００９２】
以上によりインスタントフイルムパック１の組み立てが完了する。
【００９３】
《インスタントフイルムパックの作用》
インスタントフイルムパック１は、フイルムカバー６０を取り外して使用する形態、及び、フイルムカバー６０を取り外さずに使用する形態の双方が可能である。
【００９４】
フイルムカバー６０を取り外さずに使用する形態とは、インスタントフイルムパック１を機器に装填後、フイルムカバー６０を装着したまま使用する形態のことである。すなわち、フイルムカバー６０を装着したままインスタントフイルム１０をケース２０から排出して使用する形態のことである。この場合、インスタントフイルム１０は、ケース２０から取り出されて露光される。
【００９５】
一方、フイルムカバー６０を取り外して使用する形態とは、インスタントフイルムパック１を機器に装填後、フイルムカバー６０を取り外して使用する形態のことである。フイルムカバー６０を取り外して使用するとは、フイルムカバー６０を排出して使用することである。この場合、インスタントフイルム１０は、ケース２０に装填した状態で使用する。すなわち、ケース内で露光される。そして、露光後、ケース２０から排出される。露光は、ケース内で最上位に位置するインスタントフイルム１０に行われる。
【００９６】
主にプリンターなどでは、フイルムカバー６０を取り外さずに使用する形態が採用される。一方、アナログ方式のインスタントカメラでは、その構造上、フイルムカバー６０を取り外して使用する形態が採用される。
【００９７】
両者の使い分けは、使用するクロー開口部の選択によって行われる。すなわち、フイルムカバー６０を取り外さずに使用する場合は第１クロー開口部３２を使用し、フイルムカバー６０を取り外して使用する場合は第２クロー開口部３３を使用する。第１クロー開口部３２を使用することにより、フイルムカバー６０による干渉を回避でき、インスタントフイルム１０だけをクローで排出できる。一方、第２クロー開口部３３を使用することにより、従来のインスタントフイルムパックと同様に、クローでフイルムカバー６０を排出でき、かつ、インスタントフイルム１０も排出できる。
【００９８】
インスタントフイルムパック１を使用する機器は、使用形態に合わせてインスタントフイルム１０の排出機構を構成する。すなわち、フイルムカバー６０を取り外さずに使用する場合は、第１クロー開口部３２にクローが挿入されるように排出機構を構成する。一方、フイルムカバー６０を取り外して使用する場合は、第２クロー開口部３３にクローが挿入されるように排出機構を構成する。
【００９９】
なお、排出機構の基本構成は、いずれの場合も同じであり、使用するクロー開口部の位置に合わせて、クローの位置を設定する。以下、排出機構の基本構成について説明する。
【０１００】
〈排出機構〉
図２１は、排出機構の基本構成を示す概略図である。同図において、矢印ｆを用いて示す方向がインスタントフイルムの排出方向である。
【０１０１】
インスタントフイルムパック１を使用する機器の排出部を構成する排出機構１００は、クロー１１０と、クロー１１０をインスタントフイルム１０の排出方向に沿って移動させるクロー駆動部１１２と、を備えて構成される。
【０１０２】
クロー１１０は、鉤爪形状を有する板片により構成される。クロー１１０は、差込部１１０ａを有する。差込部１１０ａは、排出時にインスタントフイルム１０とインスタントフイルム１０との間、又は、フイルムカバー６０とインスタントフイルム１０との間に差し込まれる部位である。クロー１１０は、インスタントフイルム１０とインスタントフイルム１０との間、又は、フイルムカバー６０とインスタントフイルム１０との間に差込部１１０ａを差し込み、凹部１１０ｂの底部分にインスタントフイルム１０又はフイルムカバー６０の端部を当接させて、インスタントフイルム１０又はフイルムカバー６０をケース２０から掻き出す。
【０１０３】
クロー駆動部１１２は、クロー１１０をインスタントフイルム１０及びフイルムカバー６０の排出方向に沿って移動させる。クロー駆動部１１２は、モーターと、そのモーターの回転を直線運動に変換してクローに伝達する動力伝達機構と、を備えて構成される。
【０１０４】
〈フイルムカバーを取り外さずに使用する場合〉
上記のように、フイルムカバー６０を取り外さずに使用する場合は、第１クロー開口部３２を使用する。
【０１０５】
図２２は、フイルムカバーを取り外さずに使用する場合のインスタントフイルムパックとクローとの配置関係を示す図である。また、図２３は、フイルムカバーを取り外さずに使用する場合のクローの動作説明図である。なお、図２２、図２３において、符号ｆを用いて示す方向が、インスタントフイルム１０の排出方向である。
【０１０６】
図２２に示すように、クロー１１０は、第１クロー開口部３２と同一直線上に配置される。第１クロー開口部３２の幅方向の中心を通り、インスタントフイルム１０の排出方向ｆと平行な直線をＬ１とすると、クロー１１０は、直線Ｌ１上に配置される。
【０１０７】
また、クロー１１０は、その差込部１１０ａが、１枚目のインスタントフイルム１０と２枚目のインスタントフイルム１０との間に挿入される位置に配置される（図２１参照）。１枚目のインスタントフイルム１０とは、積層方向の最上位に位置するインスタントフイルム１０のことである。２枚目のインスタントフイルム１０は、１枚目のインスタントフイルム１０の下に積層されたインスタントフイルム１０のことである。
【０１０８】
インスタントフイルム１０の排出方向ｆに沿ってクロー１１０を移動させると、クロー１１０は、第１クロー開口部３２の入口部３２ａからケース内に進入する。この際、クロー１１０は、第１クロー開口部３２を遮光している第１フイルムカバースカート材６４を切断しながらケース内に進入する。
【０１０９】
ケース内に進入したクロー１１０は、その差込部１１０ａが１枚目のインスタントフイルム１０と２枚目のインスタントフイルム１０との間に差し込まれる。この状態で更にクロー１１０を前進させると、クロー１１０に１枚目のインスタントフイルム１０の後端部が当接する。更にクロー１１０を前進させると、図２３に示すように、１枚目のインスタントフイルム１０がクロー１１０に押されて移動する。これにより、１枚目のインスタントフイルム１０が、ケース２０から排出される。
【０１１０】
ここで、インスタントフイルム１０を排出する際、クロー１１０は、第１クロー開口部３２の通路部３２ｂを通ってケース内を移動する。ケース内には、フイルムカバー６０も配置されているが、第１クロー開口部３２の通路部３２ｂには、切欠き部６２が配置されている。このため、クロー１１０は、フイルムカバー６０に当接することなく、ケース内を移動できる。これにより、フイルムカバー６０を装着したままインスタントフイルム１０だけを排出できる。
【０１１１】
なお、切欠き部６２の範囲ｘを超えてクロー１１０を移動させると、クロー１１０がフイルムカバー６０に当接して、フイルムカバー６０が押し出されてしまう。したがって、フイルムカバー６０を取り外さずに使用する場合は、切欠き部６２を超えない範囲でクロー１１０を移動させて、インスタントフイルム１０を排出する。これにより、フイルムカバー６０を排出せずに、インスタントフイルム１０だけを排出できる。
【０１１２】
〈フイルムカバーを取り外して使用する場合〉
上記のように、フイルムカバー６０を取り外して使用する場合は、第２クロー開口部３３を使用する。
【０１１３】
図２４は、フイルムカバーを取り外さずに使用する場合のインスタントフイルムパックとクローとの配置関係を示す図である。また、図２５は、フイルムカバーを取り外さずに使用する場合のクローの動作説明図である。なお、図２４、図２５において、符号ｆを用いて示す方向が、インスタントフイルム１０の排出方向である。
【０１１４】
図２４に示すように、クロー１１０は、第２クロー開口部３３と同一直線上に配置される。第２クロー開口部３３の幅方向の中心を通り、インスタントフイルム１０の排出方向ｆと平行な直線をＬ２とすると、クロー１１０は、直線Ｌ２上に配置される。
【０１１５】
また、クロー１１０は、その差込部１１０ａが、フイルムカバー６０と１枚目のインスタントフイルム１０との間に挿入される位置に配置される。
【０１１６】
（１）フイルムカバーの排出
インスタントフイルム１０の排出方向ｆに沿ってクロー１１０を移動させると、クロー１１０は、第２クロー開口部３３の入口部３３ａからケース内に進入する。この際、クロー１１０は、第２クロー開口部３３を遮光している第２フイルムカバースカート材６５を切断しながらケース内に進入する。
【０１１７】
ケース内に進入したクロー１１０は、その差込部１１０ａがフイルムカバー６０と１枚目のインスタントフイルム１０との間に差し込まれる。この状態で更にクロー１１０を前進させると、クロー１１０にフイルムカバー６０の後端部が当接する。更にクロー１１０を前進させると、図２５に示すように、フイルムカバー６０がクロー１１０に押されて移動する。これにより、フイルムカバー６０が、ケース２０から排出される。
【０１１８】
（２）インスタントフイルムの排出
フイルムカバー６０の場合と動作でインスタントフイルム１０を排出できる。
【０１１９】
インスタントフイルム１０の排出方向ｆに沿ってクロー１１０を移動させると、クロー１１０は、第２クロー開口部３３の入口部３３ａからケース内に進入する。ケース内に進入したクロー１１０は、その差込部１１０ａが１枚目のインスタントフイルム１０と２枚目のインスタントフイルム１０との間に差し込まれる。この状態で更にクロー１１０を前進させると、クロー１１０に１枚目のインスタントフイルム１０の後端部が当接する。更にクロー１１０を前進させると、１枚目のインスタントフイルム１０がクロー１１０に押されて移動する。これにより、１枚目のインスタントフイルム１０が、ケース２０から排出される。
【０１２０】
なお、インスタントフイルム１０の排出は、第１クロー開口部３２を使用して行うこともできる。ただし、この場合、クローの設置位置を変更する必要がある。あるいは、第１クロー開口部３２を使用して、インスタントフイルム１０を排出するためのクローが別途必要になる。
【０１２１】
このように、本実施の形態のインスタントフイルムパック１は、フイルムカバー６０を取り外して使用する形態、及び、フイルムカバー６０を取り外さずに使用する形態の双方が可能である。
【０１２２】
〔インスタントフイルムパックの変形例〕
《遮光部材の変形例》
上記実施の形態では、第１遮光部材である第１フイルムカバースカート材、及び、第２遮光部材である第２フイルムカバースカート材を切断可能に構成しているが、遮光部材の構成は、これに限定されるものではない。
【０１２３】
たとえば、第１フイルムカバースカート材を樹脂フイルム等の可撓性を有するシート材で変形可能に構成することもできる。この場合、第１フイルムカバースカート材は、クローを第１クロー開口部及び切欠き部に挿入することにより、クローに押されて変形する。第２フイルムカバースカート材についても同様である。
【０１２４】
また、第１クロー開口部及び切欠き部を引き戸状に開閉する構造とすることもできる。たとえば、シート状の遮光部材を第１クロー開口部及び切欠き部にスライド移動可能に設け、スライドさせて第１クロー開口部及び切欠き部を開閉する構造とすることもできる。あるいは、蛇腹状に伸縮させて、第１クロー開口部及び切欠き部を開閉する構造とすることもできる。第２クロー開口部についても同様である。
【０１２５】
《フイルムカバーによる遮光構造の変形例》
上記実施の形態では、フイルムカバーがケース内のインスタントフイルムに重ねて配置され、ケースの内側から露光開口部を遮光する構造としているが、露光開口部を遮光する構造は、これに限定されるものではない。
【０１２６】
図２６は、ケースの外側から露光開口部を遮光する構造のインスタントフイルムパックの正面図である。また、図２７は、その平面図である。なお、同図において、矢印ｆを用いて示す方向がインスタントフイルム１０の排出方向である。
【０１２７】
図２６、図２７に示すように、本例のケース２０は、ケース本体２２の正面部分２２ａにフイルムカバー装着部３４が備えられている。
【０１２８】
フイルムカバー装着部３４は、排出方向ｆに沿って配置される一対のレール３４ａにより構成される。フイルムカバー６０は、この一対のレール３４ａに差し込まれて、ケース２０に装着される。ケース２０の露光開口部２６は、フイルムカバー６０によってケース２０の外側から覆われて遮光される。
【０１２９】
《クロー開口部の配置の変形例》
上記実施の形態では、第１クロー開口部及び第２クロー開口部を左右対称に配置しているが、第１クロー開口部及び第２クロー開口部の配置は、これに限定されるものではない。たとえば、第１クロー開口部をケースの幅方向（インスタントフイルムの排出方向と直交する方向）の中央部に配置、第２クロー開口部を幅方向の端部に配置してもよい。
【０１３０】
また、上記実施の形態では、１つのクローでインスタントフイルム及びフイルムカバーを排出する構成としているが、同期して動作する複数個のクローによってインスタントフイルム及びフイルムカバーを排出する構成としてもよい。この場合、クローに対応して、第１クロー開口部及び第２クロー開口部がケースに備えられる。
【０１３１】
また、上記実施の形態では、クローでインスタントフイルム及びフイルムカバーを押し出す構造としているが、クローでインスタントフイルム及びフイルムカバーを引き出す構造とすることもできる。
【０１３２】
［画像記録装置］
次に、上記インスタントフイルムパックを使用して、インスタントフイルムに画像を記録する画像記録装置について説明する。
【０１３３】
《プリンター》
〈構成〉
図２８は、プリンターの概略構成図である。なお、同図において、矢印ｆを用いて示す方向がインスタントフイルム１０の排出方向である。図２９は、プリンターの制御系のブロック図である。
【０１３４】
プリンター２００は、画像記録装置の一例であり、インスタントフイルムパック１を使用して、外部機器等から取得した画像をインスタントフイルム１０に記録する。特に、本例のプリンター２００は、ライン型の露光ヘッドを使用してシングルパスで画像を記録する方式のプリンターである。プリンター２００は、遮光性が確保された筐体２１０と、インスタントフイルムパック１が装填される装填室２２０と、装填室２２０に装填されたインスタントフイルムパック１からインスタントフイルム１０を排出する排出部２３０と、排出部２３０によって排出されたインスタントフイルム１０を搬送する搬送部２４０と、インスタントフイルム１０に記録する画像の画像データを取得する画像データ取得部２５０と、プリント用の画像データを生成するプリントデータ生成部２６０と、搬送部２４０によって搬送されるインスタントフイルム１０に画像を記録する記録部２７０と、操作部２８０と、表示部２９０と、記憶部３００と、制御部３１０と、を備えて構成される。
【０１３５】
装填室２２０は、インスタントフイルムパック１を収容可能な凹部として筐体２１０に備えられる。インスタントフイルムパック１は、露光開口部２６を装填室２２０の底面に向けて装填室２２０に装填される。装填室２２０に装填されると、インスタントフイルムパック１は一定位置に位置決めされる。
【０１３６】
装填室２２０は、装填室蓋２２２を有し、装填室蓋２２２によって開閉される。装填室蓋２２２には、押し上げ部材２２４が備えられる。インスタントフイルムパック１を装填室２２０に装填し、装填室蓋２２２を閉じると、押し上げ部材２２４が、インスタントフイルムパック１の押し上げ部材挿入部３６に挿入される。これにより、ケース内のインスタントフイルム１０が、押し上げ部材２２４に押されて、ケース２０の内面に押し当てる。
【０１３７】
排出部２３０は、装填室２２０に装填されたインスタントフイルムパック１からインスタントフイルム１０を１枚ずつ排出する。排出部２３０の構成は、上述したインスタントフイルム１０の排出機構１００と同じである。すなわち、クロー２３２と、クロー２３２をインスタントフイルム１０の排出方向に沿って移動させるクロー駆動部２３４と、を備えて構成される。排出部２３０は、装填室２２０に装填されたインスタントフイルムパック１に対して第１クロー開口部３２からクロー２３２を挿入し、ケース内のインスタントフイルム１０をクロー２３２で押し出して、ケース２０から排出する。この際、クロー２３２を切欠き部６２の範囲内で移動させて、インスタントフイルム１０を排出する。これにより、フイルムカバー６０を装着したままインスタントフイルムだけを排出できる。
【０１３８】
搬送部２４０は、排出部２３０によってケース２０から排出されたインスタントフイルム１０を一定速度で搬送し、かつ、その搬送過程で現像処理液を展開処理する。搬送部２４０は、搬送ローラー対２４２と、搬送ローラー対２４２を回転駆動する搬送ローラー対駆動部２４４と、展開ローラー対２４６と、展開ローラー対２４６を回転駆動する展開ローラー対駆動部２４８と、を備えて構成される。
【０１３９】
搬送ローラー対２４２は、搬送駆動ローラー２４２ａ及び搬送従動ローラー２４２ｂにより構成される。搬送ローラー対２４２は、搬送駆動ローラー２４２ａ及び搬送従動ローラー２４２ｂでインスタントフイルム１０を挟持して構成する。なお、搬送駆動ローラー２４２ａは、インスタントフイルム１０の両サイドにのみ当接する構造とされる。
【０１４０】
搬送ローラー対駆動部２４４は、モーターと、そのモーターの回転を搬送駆動ローラー２４２ａに伝達する回転伝達機構とを有する。
【０１４１】
展開ローラー対２４６は、インスタントフイルム１０の搬送方向に対して、搬送ローラー対２４２の下流側に配置される。展開ローラー対２４６は、展開駆動ローラー２４６ａ及び展開従動ローラー２４６ｂにより構成される。展開ローラー対２４６は、展開駆動ローラー２４６ａ及び展開従動ローラー２４６ｂでインスタントフイルム１０を挟持して搬送する。そして、その搬送過程でインスタントフイルム１０のポッド部１４を押しつぶして、現像処理液を展開処理する。
【０１４２】
展開ローラー対駆動部２４８は、モーターと、そのモーターの回転を展開駆動ローラー２４６ａに伝達する回転伝達機構とを有する。
【０１４３】
画像データ取得部２５０は、インスタントフイルム１０に記録する画像の画像データを取得する。画像データ取得部２５０は、デジタルカメラ、スマートフォン、携帯電話機などの外部機器と有線又は無線で通信して、インスタントフイルム１０に記録する画像の画像データを取得する。通信形式は、特に限定されない。
【０１４４】
また、画像データ取得部２５０は、図示しないカードスロットを有し、このカードスロットに装填されたメモリーカードからインスタントフイルム１０に記録する画像データを取得する。
【０１４５】
プリントデータ生成部２６０は、画像データ取得部２５０にて取得した画像データからプリント用の画像データであるプリントデータを生成する。すなわち、記録部２７０にて記録可能なデータ形式に変換する。
【０１４６】
記録部２７０は、プリントデータ生成部２６０にて生成されたプリントデータに基づいて、インスタントフイルム１０に画像を記録する。記録部２７０は、露光ヘッド２７２と、露光ヘッド２７２を駆動する露光ヘッド駆動部２７４と、を有する。露光ヘッド２７２は、インスタントフイルム１０の搬送方向に対して、搬送ローラー対２４２の上流側に配置される。露光ヘッド２７２は、ライン型の露光ヘッドにより構成され、搬送ローラー対２４２によって搬送されるインスタントフイルム１０の露光面１０ａに１ラインずつプリント光を照射して、インスタントフイルム１０に画像を記録する。露光ヘッド駆動部２７４は、プリントデータに基づいて露光ヘッド２７２を駆動する。
【０１４７】
操作部２８０は、プリンター２００に対して各種操作を行う。操作部２８０は、操作ボタン等の操作部材を備え、操作部材の操作に応じた情報を制御部３１０に出力する。
【０１４８】
表示部２９０は、インスタントフイルム１０に記録する画像を表示する。また、プリンター２００の設定、動作状況、警告などを表示する。表示部２９０は、たとえば、ＬＣＤ（Liquid Crystal Display：液晶ディスプレー）等により構成されるディスプレーと、その駆動回路とを備えて構成される。
【０１４９】
記憶部３００は、画像データ取得部２５０から取得した画像データを記憶する。記憶部３００は、不揮発性メモリーと、その駆動回路と、を備えて構成される。
【０１５０】
制御部３１０は、プリンター２００の全体の動作を統括制御する。制御部３１０は、たとえば、マイクロコンピューターにより構成される。
【０１５１】
〈作用〉
インスタントフイルムパック１は、インスタントフイルム１０の感光を防止するため、フイルムカバー６０を装着したまま装填室２２０に装填する。本プリンター２００では、フイルムカバー６０を取り外さずにインスタントフイルムパック１を使用する。したがって、インスタントフイルムパック１を装填室２２０に装填しても、フイルムカバー６０の排出処理は行われない。
【０１５２】
画像データ取得部２５０にてインスタントフイルム１０に記録する画像の画像データを取得され、操作部２８０からプリントが指示されると、プリント処理が開始される。
【０１５３】
まず、プリントデータ生成部２６０にてプリントする画像のプリントデータが生成される。
【０１５４】
次に、排出部２３０が駆動され、インスタントフイルム１０がケース２０から１枚排出される。排出されるインスタントフイルム１０は、ケース内で積層方向の最上位に位置するインスタントフイルム１０である。排出部２３０は、クロー２３２を排出方向に沿って移動させ、ケース内にクロー２３２を進入させて、インスタントフイルム１０を排出する。クロー２３２は、ケース２０の第１クロー開口部３２からケース内に進入し、ケース内のインスタントフイルム１０を排出口２８から押し出す。この際、クロー２３２は、フイルムカバー６０の切欠き部６２の範囲内で移動して、インスタントフイルム１０を押し出す。これにより、フイルムカバー６０の装着したまま、インスタントフイルムだけを排出できる。
【０１５５】
排出部２３０によるインスタントフイルム１０の排出に同期して、搬送部２４０が駆動される。搬送部２４０は、ケース２０の排出口２８から排出されたインスタントフイルム１０を受け取り、一定速度でインスタントフイルム１０を搬送する。この搬送に同期して、露光ヘッド２７２が駆動され、インスタントフイルム１０に画像が記録される。
【０１５６】
画像が記録されたインスタントフイルム１０は、搬送部２４０により搬送される過程で展開ローラー対２４６によって現像処理液が展開処理され、現像処理される。そして、現像処理されたインスタントフイルム１０が筐体２１０から排出される。
【０１５７】
このように、本実施の形態のプリンター２００によれば、フイルムカバー６０を排出せずにインスタントフイルム１０に画像を記録できる。これにより、搬送部２４０の構成を簡素化でき、コンパクトな構成で高品質な画像を記録できる。
【０１５８】
《デジタルカメラ》
〈構成〉
図３０は、デジタルカメラの概略構成図である。なお、同図において、矢印ｆを用いて示す方向がインスタントフイルム１０の排出方向である。図３１は、デジタルカメラの制御系のブロック図である。
【０１５９】
デジタルカメラ４００は、画像記録装置の一例であり、インスタントフイルムパック１を使用して、撮影した画像をインスタントフイルム１０に記録する。
【０１６０】
デジタルカメラ４００は、プリンター付きデジタルカメラとして構成される。すなわち、プリンター部とデジタルカメラ部とを備えて構成される。プリンター部の構成は、上述したプリンター２００と同じである。したがって、ここでは、デジタルカメラ部の構成について説明する。
【０１６１】
デジタルカメラ部は、レンズ部４２０と、レンズ駆動部４３０と、イメージセンサー４４０と、イメージセンサー駆動部４５０と、画像データ生成部４６０と、を備えて構成される。
【０１６２】
レンズ部４２０は、筐体２１０の正面に備えられる。レンズ部４２０は、イメージセンサー４４０の受光面に被写体像を結像させる撮影レンズ４２２と、撮影レンズ４２２を通る光の光量を調整する絞り４２４と、露光時間を調整するシャッター４２６と、を備えて構成される。撮影レンズ４２２は、フォーカスレンズを含み、フォーカスレンズを光軸に沿って前後移動させることにより、焦点調節される。
【０１６３】
レンズ駆動部４３０は、制御部３１０からの指令に応じて、レンズ部４２０を駆動する。すなわち、フォーカスレンズを光軸に沿って前後移動させる。また、絞り４２４の絞り径を拡縮させる。また、シャッター４２６を開閉させる。
【０１６４】
イメージセンサー４４０は、たとえば、ＣＣＤイメージセンサー（CCD：Charge Coupled Device）、ＣＭＯＳイメージセンサー（CMOS: Complementary Metal Oxide Semiconductor）等の二次元の固体撮像素子により構成される。
【０１６５】
イメージセンサー駆動部４５０は、制御部３１０からの指令に応じて、イメージセンサー４４０を駆動する。
【０１６６】
画像データ生成部４６０は、イメージセンサー４４０から出力される信号に所定の処理を施して、デジタルの画像データを生成する。
【０１６７】
なお、操作部２８０には、撮影指示手段としてのシャッターボタンが含まれる。また、表示部２９０には、ライブビュー画像及び撮影済み画像を表示するメインディスプレーが備えられる。メインディスプレー２９２は、筐体２１０の背面に備えられる。
【０１６８】
〈作用〉
インスタントフイルムパック１は、インスタントフイルム１０の感光を防止するため、フイルムカバー６０を装着したまま装填室２２０に装填する。本デジタルカメラ４００では、フイルムカバー６０を取り外さずにインスタントフイルムパック１を使用する。したがって、インスタントフイルムパック１を装填室２２０に装填しても、フイルムカバー６０の排出処理は行われない。
【０１６９】
操作部２８０から撮影が指示されると、イメージセンサー４４０にて画像が撮像される。イメージセンサー４４０から出力された信号は、画像データ生成部４６０に取り込まれて、所定の信号処理が施される。これにより、撮影した画像の画像データが生成される。生成された画像データは、更にプリントデータ生成部２６０に取り込まれ、所定の信号処理が施される。これにより、撮影した画像のプリントデータが生成される。
【０１７０】
プリントデータの生成が完了すると、排出部２３０が駆動され、ケース２０からインスタントフイルム１０が１枚排出される。排出されるインスタントフイルム１０は、ケース内で積層方向の最上位に位置するインスタントフイルム１０である。排出部２３０は、クロー２３２を排出方向に沿って移動させ、ケース内にクロー２３２を進入させて、インスタントフイルム１０を排出する。クロー２３２は、ケース２０の第１クロー開口部３２からケース内に進入し、ケース内のインスタントフイルム１０を排出口２８から押し出す。この際、クロー２３２は、フイルムカバー６０の切欠き部６２の範囲内で移動して、インスタントフイルム１０を押し出す。これにより、フイルムカバー６０の装着したまま、インスタントフイルムだけを排出できる。
【０１７１】
排出部２３０によるインスタントフイルム１０の排出に同期して、搬送部２４０が駆動される。搬送部２４０は、ケース２０の排出口２８から排出されたインスタントフイルム１０を受け取り、一定速度でインスタントフイルム１０を搬送する。この搬送に同期して、露光ヘッド２７２が駆動され、インスタントフイルム１０に画像が記録される。
【０１７２】
画像が記録されたインスタントフイルム１０は、搬送部２４０により搬送される過程で展開ローラー対２４６によって現像処理液が展開処理され、現像処理される。そして、現像処理されたインスタントフイルム１０が筐体２１０から排出される。
【０１７３】
このように、本実施の形態のデジタルカメラ４００によれば、フイルムカバー６０を排出せずにインスタントフイルム１０に画像を記録できる。これにより、搬送部２４０の構成を簡素化でき、コンパクトな構成で高品質な画像を記録できる。
【０１７４】
なお、撮像した画像の画像データは、必要に応じて記憶部３００に記憶される。
【０１７５】
《アナログ方式のインスタントカメラ》
アナログ方式のインスタントカメラは、画像記録装置の一例であり、レンズによって被写体の像をインスタントフイルムの露光面上に結ばせて、被写体の像をインスタントフイルムに記録する方式のカメラである。
【０１７６】
〈構成〉
図３２は、アナログ方式のインスタントカメラの概略構成図である。なお、同図において、矢印ｆを用いて示す方向がインスタントフイルム１０の排出方向である。図３３は、アナログ方式のインスタントカメラの制御系のブロック図である。
【０１７７】
アナログ方式のインスタントカメラ５００は、遮光性が確保された筐体５１０と、インスタントフイルムパック１が装填される装填室５２０と、装填室５２０に装填されたインスタントフイルムパック１からインスタントフイルム１０を排出する排出部５３０と、排出部５３０によって排出されたインスタントフイルム１０を搬送する搬送部５４０と、レンズ部５５０と、レンズ駆動部５６０と、操作部５７０と、表示部５８０と、制御部５９０と、を備えて構成される。
【０１７８】
装填室５２０は、インスタントフイルムパック１を収容可能な凹部として筐体５１０に備えられる。インスタントフイルムパック１は、露光開口部２６を装填室５２０の底面に向けて装填室５２０に装填される。装填室５２０に装填されると、インスタントフイルムパック１は一定位置に位置決めされる。
【０１７９】
装填室５２０は、装填室蓋５２２を有し、装填室蓋５２２によって開閉される。装填室蓋５２２には、押し上げ部材５２４が備えられる。インスタントフイルムパック１を装填室５２０に装填し、装填室蓋５２２を閉じると、押し上げ部材５２４が、インスタントフイルムパック１の押し上げ部材挿入部３６に挿入される。これにより、ケース内のインスタントフイルム１０が、押し上げ部材５２４に押されて、ケース２０の内面に押し当てる。
【０１８０】
排出部５３０は、装填室５２０に装填されたインスタントフイルムパック１からインスタントフイルム１０を１枚ずつ排出する。排出部５３０の構成は、上述したインスタントフイルム１０の排出機構１００と同じである。すなわち、クロー５３２と、クロー５３２をインスタントフイルム１０の排出方向に沿って移動させるクロー駆動部５３４と、を備えて構成される。排出部５３０は、装填室５２０に装填されたインスタントフイルムパック１に対して第２クロー開口部３３からクロー５３２を挿入し、ケース内のフイルムカバー６０及びインスタントフイルム１０をクロー５３２で押し出して、ケース２０から排出する。
【０１８１】
搬送部５４０は、排出部５３０によってケース２０から排出されたインスタントフイルム１０及びフイルムカバー６０を搬送する。インスタントフイルム１０に対しては、その搬送過程で現像処理液を展開処理する。搬送部５４０は、搬送ローラー対５４２と、搬送ローラー対５４２を回転駆動する搬送ローラー対駆動部５４４と、展開ローラー対５４６と、展開ローラー対５４６を回転駆動する展開ローラー対駆動部５４８と、を備えて構成される。
【０１８２】
搬送ローラー対５４２は、搬送駆動ローラー５４２ａ及び搬送従動ローラー５４２ｂにより構成される。搬送ローラー対５４２は、搬送駆動ローラー５４２ａ及び搬送従動ローラー５４２ｂでインスタントフイルム１０を挟持して構成する。なお、搬送駆動ローラー５４２ａは、インスタントフイルム１０の両サイドにのみ当接する構造とされる。
【０１８３】
搬送ローラー対駆動部５４４は、モーターと、そのモーターの回転を搬送駆動ローラー５４２ａに伝達する回転伝達機構とを有する。
【０１８４】
展開ローラー対５４６は、インスタントフイルム１０の搬送方向に対して、搬送ローラー対５４２の下流側に配置される。展開ローラー対５４６は、展開駆動ローラー５４６ａ及び展開従動ローラー５４６ｂにより構成される。展開ローラー対５４６は、展開駆動ローラー５４６ａ及び展開従動ローラー５４６ｂでインスタントフイルム１０を挟持して搬送する。そして、その搬送過程でインスタントフイルム１０のポッド部１４を押しつぶして、現像処理液を展開処理する。
【０１８５】
展開ローラー対駆動部５４８は、モーターと、そのモーターの回転を展開駆動ローラー５４６ａに伝達する回転伝達機構とを有する。
【０１８６】
レンズ部５５０は、筐体５１０の正面に備えられる。レンズ部５５０は、装填室５２０に装填されたインスタントフイルムパック１のインスタントフイルム１０に被写体像を結像させる撮影レンズ５５２と、撮影レンズ５５２を通る光の光量を調整する絞り５５４と、露光時間を調整するシャッター５５６と、を備えて構成される。撮影レンズ５５２は、フォーカスレンズを含み、フォーカスレンズを光軸に沿って前後移動させることにより、焦点調節される。
【０１８７】
レンズ駆動部５６０は、制御部５９０からの指令に応じて、レンズ部５５０を駆動する。すなわち、フォーカスレンズを光軸に沿って前後移動させる。また、絞り５５４の絞り径を拡縮させる。また、シャッター５５６を開閉させる。
【０１８８】
操作部５７０は、アナログ方式のインスタントカメラ５００に対して各種操作を行う。操作部５７０は、シャッターボタン、操作ボタン等の操作部材を備え、操作部材の操作に応じた情報を制御部５９０に出力する。
【０１８９】
表示部５８０は、アナログ方式のインスタントカメラ５００の設定、撮影枚数、動作状況、警告などを表示する。表示部５８０は、たとえば、ＬＣＤ等により構成されるディスプレーと、その駆動回路とを備えて構成される。
【０１９０】
制御部５９０は、アナログ方式のインスタントカメラ５００の全体の動作を統括制御する。制御部５９０は、たとえば、マイクロコンピューターにより構成される。
【０１９１】
〈作用〉
インスタントフイルムパック１は、インスタントフイルム１０の感光を防止するため、フイルムカバー６０を装着したまま装填室５２０に装填する。
【０１９２】
アナログ方式のインスタントカメラ５００では、ケース内のインスタントフイルム１０に撮影レンズ５５２からの光を当てて撮影する。このため、アナログ方式のインスタントカメラ５００では、インスタントフイルムパック１が装填室５２０に装填されると、フイルムカバー６０を排出する処理が行われる。フイルムカバー６０の排出は、クロー５３２を用いて、次のように行われる。
【０１９３】
インスタントフイルムパック１が装填室５２０に装填され、装填室蓋５２２が閉められると、クロー５３２が、排出方向に沿って移動を開始する。クロー５３２は、第２クロー開口部３３からケース内に進入して直線移動する。フイルムカバー６０は、このケースを直線移動するクロー５３２によって押し出され、排出口２８から排出される。クロー５３２は、所定位置まで移動した後、原点位置に復帰する。
【０１９４】
クロー５３２の動きに同期して、搬送部５４０が駆動される。搬送部５４０は、ケース２０の排出口２８から排出されたフイルムカバー６０を受け取り、機外に排出する。
【０１９５】
以上により、フイルムカバー６０の排出処理が完了する。この後、撮影が可能になる。撮影は、シャッターボタンを押下することにより行われる。
【０１９６】
シャッターボタンが押下されると、ケース内の最上位に位置するインスタントフイルム１０が露光される。露光後、その露光されたインスタントフイルムパック１の排出処理が行われる。インスタントフイルム１０の排出は、クロー５３２を用いて次のように行われる。
【０１９７】
露光が完了すると、クロー５３２が、排出方向に沿って移動を開始する。クロー５３２は、第２クロー開口部３３からケース内に進入する。露光されたインスタントフイルム１０は、このケース内に進入したクロー５３２によって押し出され、排出口２８から排出される。クロー５３２は、所定位置まで移動した後、原点位置に復帰する。
【０１９８】
クロー５３２の動きに同期して、搬送部５４０が駆動される。搬送部５４０は、ケース２０の排出口２８から排出されたフイルムカバー６０を受け取り、機外に排出する。インスタントフイルム１０は、搬送部５４０により搬送される過程で展開ローラー対５４６によって現像処理液が展開処理され、現像処理される。
【０１９９】
このように、本実施の形態のアナログ方式のインスタントカメラ５００によれば、フイルムカバー６０を取り外して、インスタントフイルムパック１を使用できる。
【０２００】
《フイルムカバーを取り外して使用するプリンター》
〈構成〉
図３４は、フイルムカバーを取り外して使用するプリンターの概略構成図である。なお、同図において、矢印ｆを用いて示す方向がインスタントフイルム１０の排出方向である。図３５は、プリンターの制御系のブロック図である。
【０２０１】
本例のプリンター２００αは、露光ヘッド２７２を移動させて、ケース内のインスタントフイルム１０に画像を記録する。このため、使用に際して、フイルムカバー６０を取り外す必要がある。
【０２０２】
なお、露光ヘッド２７２が移動可能に設けられる点、及び、フイルムカバー６０を取り外してインスタントフイルムパック１を使用する点以外は、上述したプリンター２００の構成と同じである。したがって、ここでは相違点についてのみ説明する。
【０２０３】
露光ヘッド２７２は、キャリッジ２７６に搭載されて移動可能に設けられる。キャリッジ２７６は、インスタントフイルム１０の排出方向に沿って移動可能に支持される。
【０２０４】
プリンター２００αには、キャリッジ２７６を移動させるキャリッジ駆動部２７８が備えられる。キャリッジ駆動部２７８は、キャリッジ２７６をインスタントフイルム１０の排出方向に沿って移動させる。キャリッジ駆動部２７８は、モーターと、そのモーターの回転を直線運動に変換してキャリッジ２７６に伝達する動力伝達機構と、を備えて構成される。
【０２０５】
〈作用〉
インスタントフイルムパック１は、インスタントフイルム１０の感光を防止するため、フイルムカバー６０を装着したまま装填室２２０に装填する。インスタントフイルムパック１が装填室２２０に装填されると、フイルムカバー６０を排出する処理が行われる。フイルムカバー６０の排出は、クロー２３２を用いて、次のように行われる。
【０２０６】
インスタントフイルムパック１が装填室２２０に装填され、装填室蓋２２２が閉められると、クロー２３２が、排出方向に沿って移動を開始する。クロー２３２は、第２クロー開口部３３からケース内に進入して直線移動する。フイルムカバー６０は、このケース内を直線移動するクロー２３２によって押し出され、排出口２８から排出される。クロー２３２は、所定位置まで移動した後、原点位置に復帰する。
【０２０７】
クロー２３２の動きに同期して、搬送部２４０が駆動される。搬送部２４０は、ケース２０の排出口２８から排出されたフイルムカバー６０を受け取り、機外に排出する。
【０２０８】
以上により、フイルムカバー６０の排出処理が完了する。この後、プリントが可能になる。
【０２０９】
画像データ取得部２５０にてインスタントフイルム１０に記録する画像の画像データを取得され、操作部２８０からプリントが指示されると、プリント処理が開始される。
【０２１０】
まず、プリントデータ生成部２６０にてプリントする画像のプリントデータが生成される。
【０２１１】
プリントデータが生成されると、次に、キャリッジ駆動部２７８が駆動され、キャリッジ２７６が一定の速度で移動を開始する。このキャリッジ２７６の移動に同期して、露光ヘッド２７２が駆動され、インスタントフイルム１０に画像が記録される。
【０２１２】
画像の記録が完了すると、キャリッジ２７６は、原点位置に復帰する。これと同時に排出部２３０が駆動され、画像が記録されたインスタントフイルム１０がケース２０から排出される。排出部２３０は、クロー２３２を排出方向に沿って移動させ、ケース内にクロー２３２を進入させて、インスタントフイルム１０を排出する。
【０２１３】
排出部２３０によるインスタントフイルム１０の排出に同期して、搬送部２４０が駆動される。搬送部２４０は、ケース２０の排出口２８から排出されたインスタントフイルム１０を受け取り、インスタントフイルム１０を搬送する。画像が記録されたインスタントフイルム１０は、搬送部２４０により搬送される過程で展開ローラー対２４６によって現像処理液が展開処理され、現像処理される。そして、現像処理されたインスタントフイルム１０が筐体２１０から排出される。
【０２１４】
このように、本実施の形態のプリンター２００によれば、フイルムカバー６０を取り外して、インスタントフイルムパック１を使用できる。
【０２１５】
なお、プリンターは、デジタルカメラ部を備えることにより、プリンター付きデジタルカメラとして構成できる。その他、スキャナー機能を備えることにより、プリンター付きスキャナーとして構成できる。
【０２１６】
［その他の実施の形態］
上記実施の形態では、フイルムカバーを取り外さずに使用する場合、積層方向の上側から順にインスタントフイルムを排出する構成としているが、積層方向の下側から順にインスタントフイルムを排出する構成としてもよい。この場合、インスタントフイルムを積層方向の下側から順に排出するための排出口がケースに備えられる。
【符号の説明】
【０２１７】
１  インスタントフイルムパック
１０  インスタントフイルム
１０ａ  露光面
１０ｂ  観察面
１２  露光部
１４  ポッド部
１４ａ  現像処理液ポッド
１６  トラップ部
１６ａ  吸収材
１８  観察部
２０  ケース
２２  ケース本体
２２ａ  正面部分
２２ｂ  天面部
２２ｃ  底面部
２４  ケース蓋
２６  露光開口部
２８  排出口
３０  ケースフラップ材
３２  第１クロー開口部
３２ａ  入口部
３２ｂ  通路部
３３  第２クロー開口部
３３ａ  入口部
３３ｂ  通路部
３４  フイルムカバー装着部
３４ａ  レール
３６  押し上げ部材挿入部
３８  フイルム支持部
４０  遮光シート取付部
５０  遮光シート
５２  第１遮光シート
５２ａ  切り込み部
５２ｂ  固定部
５４  第２遮光シート
６０  フイルムカバー
６２  切欠き部
６４  第１フイルムカバースカート材
６４ａ  スカート部
６５  第２フイルムカバースカート材
６５ａ  スカート部
１００  排出機構
１１０  クロー
１１０ａ  差込部
１１０ｂ  凹部
１１２  クロー駆動部
２００  プリンター
２００α  プリンター
２１０  筐体
２２０  装填室
２２２  装填室蓋
２２４  押し上げ部材
２３０  排出部
２３２  クロー
２３４  クロー駆動部
２４０  搬送部
２４２  搬送ローラー対
２４２ａ  搬送駆動ローラー
２４２ｂ  搬送従動ローラー
２４４  搬送ローラー対駆動部
２４６  展開ローラー対
２４６ａ  展開駆動ローラー
２４６ｂ  展開従動ローラー
２４８  展開ローラー対駆動部
２５０  画像データ取得部
２６０  プリントデータ生成部
２７０  記録部
２７２  露光ヘッド
２７４  露光ヘッド駆動部
２７６  キャリッジ
２７８  キャリッジ駆動部
２８０  操作部
２９０  表示部
２９２  メインディスプレー
３００  記憶部
３１０  制御部
４００  デジタルカメラ
４２０  レンズ部
４２２  撮影レンズ
４２４  絞り
４２６  シャッター
４３０  レンズ駆動部
４４０  イメージセンサー
４５０  イメージセンサー駆動部
４６０  画像データ生成部
５００  インスタントカメラ
５１０  筐体
５２０  装填室
５２２  装填室蓋
５２４  押し上げ部材
５３０  排出部
５３２  クロー
５３４  クロー駆動部
５４０  搬送部
５４２  搬送ローラー対
５４２ａ  搬送駆動ローラー
５４２ｂ  搬送従動ローラー
５４４  搬送ローラー対駆動部
５４６  展開ローラー対
５４６ａ  展開駆動ローラー
５４６ｂ  展開従動ローラー
５４８  展開ローラー対駆動部
５５０  レンズ部
５５２  撮影レンズ
５５４  絞り
５５６  シャッター
５６０  レンズ駆動部
５７０  操作部
５８０  表示部
５９０  制御部
Ｆ  インスタントフイルムの送り方向
ｆ  インスタントフイルムの排出方向
【図１】
0006609031.tif 000002
【図２】
0006609031.tif 000003
【図３】
0006609031.tif 000004
【図４】
0006609031.tif 000005
【図５】
0006609031.tif 000006
【図６】
0006609031.tif 000007
【図７】
0006609031.tif 000008
【図８】
0006609031.tif 000009
【図９】
0006609031.tif 000010
【図１０】
0006609031.tif 000011
【図１１】
0006609031.tif 000012
【図１２】
0006609031.tif 000013
【図１３】
0006609031.tif 000014
【図１４】
0006609031.tif 000015
【図１５】
0006609031.tif 000016
【図１６】
0006609031.tif 000017
【図１７】
0006609031.tif 000018
【図１８】
0006609031.tif 000019
【図１９】
0006609031.tif 000020
【図２０】
0006609031.tif 000021
【図２１】
0006609031.tif 000022
【図２２】
0006609031.tif 000023
【図２３】
0006609031.tif 000024
【図２４】
0006609031.tif 000025
【図２５】
0006609031.tif 000026
【図２６】
0006609031.tif 000027
【図２７】
0006609031.tif 000028
【図２８】
0006609031.tif 000029
【図２９】
0006609031.tif 000030
【図３０】
0006609031.tif 000031
【図３１】
0006609031.tif 000032
【図３２】
0006609031.tif 000033
【図３３】
0006609031.tif 000034
【図３４】
0006609031.tif 000035
【図３５】
0006609031.tif 000036